(57)【要約】【課題】  従来技術にあっては、内部に光源が収容されたボックス状の表示装置の表示面に太陽光が当った場合に、太陽光が透明カバーを透過してコントラストを上げるためにブラックマスクを施すと共に光源としてＬＥＤ（発光ダイオード）等を実装配置した基板に照射されることでケース内の温度が上昇し、ＬＥＤ等の光源の輝度を低下させると共に光源の点灯制御を行う制御回路に誤動作を誘発させるといった問題があった。【解決手段】  ケース１内にマトリックス状に配置されたＬＥＤ等の光源２と、前記ケースの前面開口部に取付けられたガラス等の透明板４と、該透明板の前面側において前記光源の各横列に沿って配置された太陽光を遮光するためのルーバー５とから構成した表示装置である。【選択図】        図１
2006162889.tif 000002
【特許請求の範囲】
【請求項１】
ケース内にマトリックス状に配置されたＬＥＤ等の光源と、前記ケースの前面開口部に取付けられたガラス等の透明板と、該透明板の前面側において前記光源の各横列に沿って配置された太陽光を遮光するためのルーバーとから構成したことを特徴とする表示装置。
【請求項２】
ケース内にマトリックス状に配置されたＬＥＤ等の光源と、前記ケースの前面開口部に取付けられたガラス等の透明板と、該透明板の前面側に配置された太陽光を遮光するための格子状ルーバーとから構成したことを特徴とする表示装置。
【請求項３】
前記ルーバーを黒色等の遮光特性を有するパネル部で構成し、ルーバー部を一体的に形成すると共に前記光源と対向する位置に光源よりの光が通過するための小孔を形成したことを特徴とする請求項１および２記載の表示装置。
【発明の詳細な説明】
【技術分野】
【０００１】
本発明は、道路上に設置して交通情報や道路情報を表示するための表示装置であって、表示装置の表示面に太陽光が当たることによる視認性の低下と、ケース内の温度が上昇するのを防止するようにした表示装置に関する。
【背景技術】
【０００２】
従来の表示装置の一例として特開平６−３０１３４６に開示されている発明がある。この発明は、複数の光源を配列したドットマトリックス型の表示部と、該表示部の前に強化ガラスを配置させ、さらに、その強化ガラスの前面に合成樹脂製透明カバーを重ね合わせた二重構造の透明カバーから構成されたものである。そして、このような構成とすることで、表示面への静電気による埃の付着を防止し、かつ、強化ガラスの破壊による落下を防止しようとするものである。
【特許文献１】特開平６−３０１３４６
【発明の開示】
【発明が解決しようとする課題】
【０００３】
ところで、前記した従来技術にあっては、内部に光源が収容されたボックス状の表示装置の表示面に太陽光が当った場合に、太陽光が透明カバーを透過してコントラストを上げるためにブラックマスクを施すと共に光源としてＬＥＤ（発光ダイオード）等を実装配置した基板に照射される。これにより、ケース内の温度が上昇し、ＬＥＤ等の光源の輝度を低下させると共に光源の点灯制御を行うための制御回路に誤動作を誘発させるといった問題があった。
【０００４】
また、前記した特許文献の明細書中には表示面で太陽光が反射し、表示面のコントラストの低下を防止するために前記透明カバーに艶消し処理を行う提案があるが、光源をより高輝度で点灯することが必要となり、光源自らの発熱によりケース内の温度を上昇させるといった問題もあった。
【０００５】
本発明は前記した問題点を解決せんとするもので、その目的とするところは、太陽光によるケース内の温度上昇を抑えると共に太陽光による表示面の輝度コントラストの低下を防止することのできる表示装置を提供せんとするにある。
【課題を解決するための手段】
【０００６】
本発明の表示装置は前記した目的を達成せんとするもので、請求項１の手段は、ケース内にマトリックス状に配置されたＬＥＤ等の光源と、前記ケースの前面開口部に取付けられたガラス等の透明板と、該透明板の前面側において前記光源の各横列に沿って配置された太陽光を遮光するためのルーバーとから構成したものである。
【０００７】
請求項２の手段は、ケース内にマトリックス状に配置されたＬＥＤ等の光源と、前記ケースの前面開口部に取付けられたガラス等の透明板と、該透明板の前面側に配置された太陽光を遮光するための格子状ルーバーとから構成したものである。
【０００８】
請求項３の手段は、前記した請求項１または２において、前記ルーバーを黒色等の遮光特性を有するパネル部で構成し、ルーバー部を一体的に形成すると共に前記光源と対向する位置に光源よりの光が通過するための小孔を形成したことを特徴とする。
【発明の効果】
【０００９】
本発明は前記したように、太陽光が透明板を介してケース内に入らないように透明板の前面にルーバーを配置したので、ケース内の温度の上昇を抑えてＬＥＤ等の光源の輝度低下を防止すると共に光源の点灯を制御するための制御回路の誤動作を防止することが可能となる。また、ルーバーによって太陽光による表示面の反射を抑えると共に、ルーバーおよびルーバーの影によって点灯した光源に対して輝度値の低い背景が形成されるため、十分な輝度コントラストが得られ明瞭な表示を行うことができる。
【００１０】
また、太陽光が透明板を介して横方向からと正面方向からケース内に入り込まないように透明板の前面にルーバーを配置した。これにより、温度の上昇をより一層抑えることで温度上昇による故障を防止することが可能となる。また、ルーバーが格子状であることから、縦方向と横方向からの外力に対して強固になり透明板に対する損傷防止効果を一層向上させることができる。
【００１１】
また、ルーバーを黒色等の遮光特性を有するパネル部で構成すると共に該パネル部の一面に前記ルーバーを一体的に形成し、かつ、前記光源と対向する位置に光源よりの光が通過するための小孔を形成した。これにより、輝度コントラストを一層上げ、より明瞭な表示を行うことができる。また、一体成形によってルーバーを構成できてコストの低減を図ることができる等の効果を有するものである。
【発明を実施するための最良の形態】
【００１２】
本発明は、ケース内にマトリックス状に配置されたＬＥＤ等の光源と、前記ケースの前面開口部に取付けられたガラス等の透明板と、該透明板の前面側において前記光源の各横列に沿って配置された太陽光を遮光するためのルーバーとから構成した。
【実施例１】
【００１３】
次に、本発明に係る表示装置の第１の実施例を図１〜３と共に説明する。
図１はケースの側断面図、図２は正面図、図３は透明板とルーバーとを一体化した状態の断面図にして、１はケースにして、ケース本体１１と、該ケース本体１１の上面において蝶番１２ａにより上下方向に開閉自在に取付けられた前面板１２とより構成されている。
【００１４】
また、ケース本体１１にはマトリックス状にＬＥＤ等の光源２が半田付けされたプリント基板３を固定するための基板支持体１１ａが取付けられている。なお、後述するルーバーによって表示面において十分な輝度コントラストが得られるため、プリント基板３は通常のグリーンマスク処理のままでもよい。また、図示していないが、ケース本体１１内には電源および光源２を点灯制御して文字や図柄を抽出するための制御回路が内蔵されている。
【００１５】
前記前面板１２には後に詳述する透明板４およびルーバー５が重ね合わされた状態で支え板１２ｄに嵌め込まれると共に、上部と左右を挟持するための窓枠状の押え板１２ｂによってネジ止め固定される。さらに、重ね合わせた状態の透明板４、ルーバー５を前記押え板１２ｂで前面板１２に固定した状態において、雨水や塵がケース本体１１内に入り込むのを防止するためのパッキン１２ｃが介在されている。
【００１６】
４は一般的なガラス板あるいはアクリル樹脂等からなる透明板、５は太陽光を遮光する樹脂等を成形して構成した艶消しの黒色等のルーバーにして、前記透明板４と略同じ大きさのパネル部５１と、該パネル部５１の前面側に太陽光を遮光をするために前記光源２の横列に沿ってルーバー部５２が一体的に形成されている。また、板部５１には前記光源２と対応して、該光源２からの光が通過（出射）するための小孔５３が開口されている。
【００１７】
このように構成した透明板４とルーバー５とは、重ね合わせた状態で押え板１２ｂを前面板１２に多数位置でネジ止めすることで、透明板４とルーバー５とはケース１に取付けられる。これによって、太陽光がルーバー部５２によって遮られ輝度値の低い背景が形成されるため表示に対する輝度コントラストを得ることができ、かつ、ケース１内の温度も上昇したりすることがない。
【実施例２】
【００１８】
図４、図５は第２の実施例を示すもので、前記した第１の実施例にあっては、ルーバー部５２が水平方向に多段形成されたものであることから、ルーバー部５２と平行な方向の外力に対して変形してしまい、また、横方向からの太陽光も透明板４に照射されるので表示が見にくくなる可能性がある。
【００１９】
そこで、第２の実施例にあっては、第１の実施例における横方向のルーバー部５２に対して縦方向のルーバー部５４も一体的に形成した。このように横方向と縦方向のルーバー部５２，５４を形成して格子状とすることで、縦方向と横方向の外力に対して強固となり、変形して透明板４に無理な力が加わることがなく、また、横方向からの太陽光も透明板４に透過することがなくなる。
【産業上の利用可能性】
【００２０】
本発明は道路上に設置して交通情報や道路情報を表示するための表示装置に限定されるものではなく、各種の情報を表示するための全ての表示装置として応用できることは勿論のことである。
【図面の簡単な説明】
【００２１】
【図１】本発明に係る表示装置のケースの側断面図である。
【図２】同上の正面図である。
【図３】透明板とルーバーとを重ね合わせた状態の断面図である。
【図４】第２の実施例における要部の正面図である。
【図５】同上のＡ−Ａ線断面図である。
【符号の説明】
【００２２】
１          ケース
１１        ケース本体
１２        前面板
２          光源
３          プリント基板
４          透明板
５          ルーバー
５１        パネル部
５２，５４  ルーバー部
５３        小孔
【図１】
2006162889.tif 000003
【図２】
2006162889.tif 000004
【図３】
2006162889.tif 000005
【図４】
2006162889.tif 000006
【図５】
2006162889.tif 000007